(57)【要約】【課題】的確に温度過昇防止手段を動作させることができる電気掃除機を提供する。【解決手段】電動送風機４へ電力を供給する双方向性サイリスタＴＲ１３をＯＮする位相を制御するダイアックＤＩＡＣ１２と、ダイアックＤＩＡＣ１２をＯＮする位相を変える電圧発生回路１５を備え、電圧発生回路１５は、コンデンサＣ１１と、コンデンサＣ１１に直列接続された可変抵抗器ＶＲ３で構成され、可変抵抗器ＶＲ３の抵抗値を変えて電動送風機４に供給する電力を変えるようにすると共に、可変抵抗器ＶＲ３の抵抗値の変化に連動して切り換えられる少なくとも２つの双方向性サイリスタＴＲ１３のトリガ経路Ａ、Ｂを設け、それぞれのトリガ経路Ａ、Ｂに動作温度の異なる第２、第１の温度過昇防止手段７、６を配するもので、電動送風機４への供給電力が低い場合に吸込口が密閉されても、動作温度の低い第１の温度過昇防止手段６を確実に動作させることができる。【選択図】図５
2010119419.tif 000002
【特許請求の範囲】
【請求項１】
吸引力を発生する電動送風機と、前記電動送風機へ電力を供給するための双方向性サイリスタと、前記双方向性サイリスタをＯＮする位相を制御するために前記双方向性サイリスタのゲートに配されたダイアックと、前記ダイアックをＯＮする位相を変える電圧発生回路を備え、前記電圧発生回路は、コンデンサと、前記コンデンサに直列接続された抵抗器で構成され、前記抵抗器の抵抗値を変えることにより前記電動送風機に供給する電力を変えるようにすると共に、前記抵抗器の抵抗値の変化に連動して切り換えられる少なくとも２つの前記双方向性サイリスタのトリガ経路を設け、それぞれのトリガ経路に動作温度の異なる温度過昇防止手段を配することを特徴とする電気掃除機。
【請求項２】
抵抗器を可変抵抗器で構成し、前記可変抵抗器の抵抗値が所定の抵抗値より小さい場合には、動作温度の高い温度過昇防止手段が配されたトリガ経路が導通するようにし、前記可変抵抗器の抵抗値が所定の抵抗値より大きい場合には、動作温度の低い温度過昇防止手段が配されたトリガ経路が導通するように、前記トリガ経路を切り換える切り換えスイッチを配することを特徴とした請求項１に記載の電気掃除機。
【請求項３】
動作温度の高い温度過昇防止手段より、動作温度の低い温度過昇防止手段を電動送風機のより近傍に配することを特徴とした請求項２記載の電気掃除機。
【発明の詳細な説明】
【技術分野】
【０００１】
本発明は、電気掃除機に関するもので、特に、電気掃除機の電動送風機の制御に関するものである。
【背景技術】
【０００２】
従来のこの種の電気掃除機の電動送風機のパワー制御に関しては、双方向性サイリスタとそのゲートに接続され位相角を変えるための発生器で構成された位相制御回路が使用されている（例えば、特許文献１参照）。
【０００３】
図８は、上記特許文献１に記載された従来の電気掃除機の位相制御回路図を示すもので、同図において、前記位相制御回路を構成する発生器は、ダイアックＤＩＡＣ１１２と、可変抵抗器ＶＲ１０３と、コンデンサＣ１１１から構成されている。ここで、可変抵抗器ＶＲ１０３の抵抗値を変更してコンデンサＣ１１１の充電時間を変更することで、ダイアックＤＩＡＣ１１２をＯＮする位相を変更し、双方向性サイリスタＴＲ１１３を導通する位相を制御し、最終的に電動送風機１０４に供給する電力を制御することが可能となる。また、電気掃除機の吸込口（図示せず）がごみ詰まりなどで密閉された時に、電気掃除機本体内の温度が上昇すると、双方向性サイリスタＴＲ１１３を動作させないようにゲートへの経路を切断する温度過昇防止手段１０６が配されており、異常時には、電動送風機１０４の運転を停止する回路構成となっている。
【０００４】
しかし、電気掃除機の吸込口が密閉されてすぐ温度過昇防止手段１０６が動作すると、使用者が故障と判断してしまうことが想定されるため、温度過昇防止手段１０６の動作温度は、電動送風機１０４に供給される電力が最大状態において数分程度、吸込口が密閉された時に動作するように設定するのが一般的である。
【特許文献１】特開昭６３−２７４３９６号公報
【発明の開示】
【発明が解決しようとする課題】
【０００５】
しかしながら、上記従来の電気掃除機の位相制御回路では、可変抵抗器ＶＲ１０３の抵抗値が大きい場合は、電源ＯＮ時のコンデンサＣ１１１の充電が遅く、双方向性サイリスタＴＲ１１３のＯＮタイミングが遅くなり、電動送風機１０４への供給電力が低くなり、電気掃除機の吸込口がごみ詰まりなどで密閉され温度過昇防止手段１０６の動作温度に到達するまでに要する時間が長くなってしまう。そのため、温度過昇防止手段１０６が動作する直前の温度で電気掃除機が運転される時間が長くなる可能性があり、電気掃除機本体内の樹脂部品の変形や電子部品の劣化を招くといった課題があった。
【０００６】
本発明は、上記従来の課題を解決するもので、可変抵抗器の抵抗値が大きい場合つまり電動送風機への供給電力が低い場合においても、より的確に温度過昇防止手段を動作させることができ、耐久性および信頼性の高い電気掃除機を提供することを目的としている。
【課題を解決するための手段】
【０００７】
前記従来の課題を解決するために、本発明の電気掃除機は、吸引力を発生する電動送風機と、前記電動送風機へ電力を供給するための双方向性サイリスタと、前記双方向性サイリスタをＯＮする位相を制御するために前記双方向性サイリスタのゲートに配されたダイアックと、前記ダイアックをＯＮする位相を変える電圧発生回路を備え、前記電圧発生回路は、コンデンサと、前記コンデンサに直列接続された抵抗器で構成され、前記抵抗器の抵抗値を変えることにより前記電動送風機に供給する電力を変えるようにすると共に、前記抵抗器の抵抗値の変化に連動して切り換えられる少なくとも２つの前記双方向性サイリスタのトリガ経路を設け、それぞれのトリガ経路に動作温度の異なる温度過昇防止手段を配するもので、電動送風機への供給電力が低い場合に電気掃除機の吸込口がごみ詰まりなどで密閉された場合においても、より的確に温度過昇防止手段を動作させることができ、耐久性および信頼性の高い電気掃除機を提供することができる。
【発明の効果】
【０００８】
本発明の電気掃除機は、電動送風機への供給電力が低い状態で、電気掃除機の吸込口がごみ詰まりなどで密閉された場合においても、より的確に温度過昇防止手段を動作させることができるため、耐久性および信頼性の高い電気掃除機を提供することができる。
【発明を実施するための最良の形態】
【０００９】
第１の発明は、吸引力を発生する電動送風機と、前記電動送風機へ電力を供給するための双方向性サイリスタと、前記双方向性サイリスタをＯＮする位相を制御するために前記双方向性サイリスタのゲートに配されたダイアックと、前記ダイアックをＯＮする位相を変える電圧発生回路を備え、前記電圧発生回路は、コンデンサと、前記コンデンサに直列接続された抵抗器で構成され、前記抵抗器の抵抗値を変えることにより前記電動送風機に供給する電力を変えるようにすると共に、前記抵抗器の抵抗値の変化に連動して切り換えられる少なくとも２つの前記双方向性サイリスタのトリガ経路を設け、それぞれのトリガ経路に動作温度の異なる温度過昇防止手段を配するもので、電動送風機への供給電力が低い場合に電気掃除機の吸込口がごみ詰まりなどで密閉された場合においても、より的確に温度過昇防止手段を動作させることができ、耐久性および信頼性の高い電気掃除機を提供することができる。
【００１０】
第２の発明は、特に、第１の発明の抵抗器を可変抵抗器で構成し、前記可変抵抗器の抵抗値が所定の抵抗値より小さい場合には、動作温度の高い温度過昇防止手段が配されたトリガ経路が導通するようにし、前記可変抵抗器の抵抗値が所定の抵抗値より大きい場合には、動作温度の低い温度過昇防止手段が配されたトリガ経路が導通するように、前記トリガ経路を切り換える切り換えスイッチを配するもので、可変抵抗器の抵抗値が大きいつまり電動送風機への供給電力が低い場合は温度過昇防止手段の動作温度を低くすることができ、また逆に可変抵抗器の抵抗値が小さいつまり電動送風機への供給電力が高い場合は温度過昇防止手段の動作温度を高くすることができるため、さらに的確に温度過昇防止手段を動作させることができる。
【００１１】
第３の発明は、特に、第２の発明の動作温度の高い温度過昇防止手段より、動作温度の低い温度過昇防止手段を電動送風機のより近傍に配するもので、動作温度の低い温度過昇防止手段が動作する経路が導通している状態つまりは電動送風機への供給電力が低い場合は、電動送風機への供給電力が高い場合と比較し電動送風機の発熱量が少ない状態のため、動作温度の低い温度過昇防止手段を電動送風機のより近傍に配することで、温度過昇防止手段をより的確に動作させることができる。
【００１２】
以下、本発明の実施の形態について、図面を参照しながら説明する。なお、本実施の形態によって本発明が限定されるものではない。
【００１３】
（実施の形態１）
本発明の第１の実施の形態における電気掃除機について、図１〜７を用いて説明する。
【００１４】
図１は、本実施の形態における電気掃除機の全体斜視図、図２は同電気掃除機の断面図である。
【００１５】
本実施の形態における電気掃除機において、電動送風機４が内蔵されている電動送風機室８内には、それぞれ動作温度の異なる第１の温度過昇防止手段６と第２の温度過昇防止手段７が配されている。ここで、第１の温度過昇防止手段６の動作温度は、第２の温度過昇防止手段７の動作温度より高く設定されている。
【００１６】
図３は、同電気掃除機のパワーコントロール操作部の平面図で、図４は、同パワーコントロール操作部の平面図及び断面図である。
【００１７】
５は、使用者が操作するコントロールつまみで、そのコントロールつまみ５には、切り換えスイッチＳＷ１をＯＮ、ＯＦＦする為のカム５ａが構成されており、コントロールつまみ５を左右に回転させることにより、切り換えスイッチＳＷ１をＯＮ、ＯＦＦすることができる構成となっており、図４（ａ）、（ｃ）は、切り換えスイッチＳＷ１がＯＦＦの状態、図４（ｂ）、（ｄ）は、切り換えスイッチＳＷ１がＯＮの状態を示している。
【００１８】
また、コントロールつまみ５の下部には、回転することで抵抗が変えられる抵抗器として可変抵抗器ＶＲ３が配されており、コントロールつまみ５の回転角度に応じて抵抗値が変わるようになっている。可変抵抗器ＶＲ３の抵抗値は、右に回転させていくと抵抗値が小さくなっていく構成となっている。これらの切り換えスイッチＳＷ１および可変抵抗器ＶＲ３は、電動送風機室８内に設けられた制御回路９に接続されている。
【００１９】
図５は、本実施の形態における電気掃除機の回路図で、可変抵抗器ＶＲ３には、コンデンサＣ１１が直列に接続され、前記可変抵抗器ＶＲ３とコンデンサＣ１１とで、電圧発生回路１５が構成されている。また、可変抵抗器ＶＲ３とコンデンサＣ１１との間には、並列に接続された２つの双方向性サイリスタＴＲ１３のトリガ経路Ａ、Ｂが配され、トリガ経路Ａには、第２の温度過昇防止手段７が、トリガ経路Ｂには、第１の温度過昇防止手段６がそれぞれ配されている。
【００２０】
以上のように構成された本実施の形態における電気掃除機の動作を説明する。
【００２１】
図６は、図４（ａ）、（ｂ）の各状態における双方向性サイリスタＴＲ１３のＴ１−Ｔ２間の電圧と、電動送風機４に供給される電力を示す波形図である。また図７は、図６（ａ）、（ｂ）の各状態において電気掃除機の吸込口を密閉したときの電動送風機室８内の温度挙動を示す図である。
【００２２】
まず、電気掃除機の電源スイッチＳＷ１０をＯＮし、図４（ａ）の状態にあるとき、つまり可変抵抗器ＶＲ３の抵抗値が、所定の抵抗値より大きく、電動送風機４に供給される電力が低いとき（図６（ａ））には、切り換えスイッチＳＷ１はＯＦＦの状態にあり、図５に示すトリガ経路Ａが導通している状態にある。
【００２３】
トリガ経路Ａ側には、動作温度が低い第２の温度過昇防止手段７が配されており、このとき電気掃除機の吸込口２０が密閉されると、電動送風機室８内の温度は、図７に示されるような挙動を示し、第２の温度過昇防止手段７が動作温度ＴＡに達すると、双方向性サイリスタＴＲ１３のトリガ経路Ａが遮断され、電動送風機４が停止し、電動送風機室８内の温度が次第に下がる。
【００２４】
一方、電気掃除機の電源スイッチＳＷ１０をＯＮし、コントロールつまみ５が図４（ｂ）の状態にあるとき、つまり可変抵抗器ＶＲ３の抵抗値が、所定の抵抗値より小さく電動送風機４に供給される電力が高いとき（図６（ｂ））には、切り換えスイッチＳＷ１は、ＯＮの状態にあり、図５に示すトリガ経路Ｂが導通している状態にある。トリガ経路Ｂ側には、動作温度が高い第１の温度過昇防止手段６が配されており、このとき電気掃除機の吸込口２０が密閉されると、電動送風機室８内の温度は、図７に示されるような挙動を示し、第１の温度過昇防止手段６が動作温度ＴＢに達すると、双方向性サイリスタＴＲ１３のトリガ経路Ｂが遮断され、電動送風機４が停止し電動送風機室８内の温度が次第に下がる。
【００２５】
第１、第２の温度過昇防止手段６、７の動作温度の設定温度は、一般的には、電気掃除機の吸込口２０がごみ詰まりなどで密閉されてすぐ第１、第２の温度過昇防止手段６、７が動作し、電動送風機４が停止してしまうと使用者が故障と判断してしまうことが想定されるため、第１の温度過昇防止手段６の動作温度は、電動送風機４に供給される電力が高い状態（図６（ｂ）の状態）において、吸込口２０が、所定時間ｔｓ密閉された時に動作するような温度に設定しなければならない。
【００２６】
つまり第１の温度過昇防止手段６の動作温度はＴＢとなる。ただし、図６（ａ）の状態のように、可変抵抗器ＶＲ３の抵抗値が所定の抵抗値より大きく電動送風機４に供給される電力が低いときには、図７の点線で示されるように、電動送風機室８内の温度がＴＢに達するまで時間ｔｖを要し、電動送風機室８内が高温で保たれる時間が長くなる。そのため、電気掃除機本体内の樹脂部品の変形や電子部品の劣化につながってしまうが、本実施の形態における構成を採用することにより、電動送風機４に供給される電力が低いときにおいて的確に第２の温度過昇防止手段７を動作させることができるため、電気掃除機本体内の樹脂部品の変形や電子部品の劣化を防止することができる。
【００２７】
また、電動送風機４に供給される電力が低いときにおいて動作する第２の温度過昇防止手段７を、発熱源である電動送風機４のより近傍に配置することで、より効果的に第２の温度過昇防止手段７を動作させることが可能となる。
【産業上の利用可能性】
【００２８】
以上のように、本発明にかかる電気掃除機は、電動送風機への供給電力が低い状態で、電気掃除機の吸込口がごみ詰まりなどで密閉された場合においても、より的確に温度過昇防止手段を動作させることができ、耐久性および信頼性の高い電気掃除機を提供することができる。
【図面の簡単な説明】
【００２９】
【図１】本発明の実施の形態１における電気掃除機の全体斜視図
【図２】同電気掃除機の断面図
【図３】同電気掃除機のパワーコントロール操作部の平面図
【図４】（ａ）同パワーコントロール操作部のコントロールつまみの位置を示す平面図（電動送風機４に供給される電力が低いとき）、（ｂ）同パワーコントロール操作部のコントロールつまみの位置を示す平面図（電動送風機４に供給される電力が高いとき）、（ｃ）図４（ａ）のＡ−Ａ断面図、（ｄ）図４（ｂ）のＢ−Ｂ断面図
【図５】同電気掃除機の回路図
【図６】（ａ）同電機掃除機のＴＲ１３のＴ１−Ｔ２間電圧と電動送風機に供給される電力を示す波形図（電動送風機４に供給される電力が低いとき）、（ｂ）同電機掃除機のＴＲ１３のＴ１−Ｔ２間電圧と電動送風機に供給される電力を示す波形図（電動送風機４に供給される電力が高いとき）
【図７】同電機掃除機の吸込口を密閉した時の電動送風機内の温度挙動を示す図
【図８】従来の電気掃除機の位相制御回路図
【符号の説明】
【００３０】
Ａ、Ｂ    トリガ経路
ＳＷ１    切り換えスイッチ
ＶＲ３    可変抵抗器（抵抗器、電圧発生回路）
ＴＲ１３  双方向性サイリスタ
ＤＩＡＣ１２  ダイアック
Ｃ１１    コンデンサ（電圧発生回路）
ＳＷ１０  電源スイッチ
４  電動送風機
５  コントロールつまみ
６  第１の温度過昇防止手段（温度過昇防止手段）
７  第２の温度過昇防止手段（温度過昇防止手段）
８  電動送風機室
９  制御回路
１５  電圧発生回路
【図１】
2010119419.tif 000003
【図２】
2010119419.tif 000004
【図３】
2010119419.tif 000005
【図４】
2010119419.tif 000006
【図５】
2010119419.tif 000007
【図６】
2010119419.tif 000008
【図７】
2010119419.tif 000009
【図８】
2010119419.tif 000010